(57)【要約】【課題】バイオスティミュレーション法、バイオオーギュメンテーション法、原位置化学酸化法などにより、汚染土壌、地下水を浄化する方法において、土壌及び／又は地下水の温度や酸化剤の添加量を適切に制御する。【解決手段】土壌及び／又は地下水をバイオレメディエーション又は酸化剤添加によって浄化する土壌及び／又は地下水の浄化方法において、浄化対象範囲内の３ヶ所以上に温度センサ３を設け、該温度センサ３の検出温度が所定範囲となるように土壌及び／又は地下水の加熱手段又は酸化剤添加量を制御することを特徴とする土壌及び／又は地下水の浄化方法。【選択図】図１
2020142175.tif 000002
【特許請求の範囲】
【請求項１】
土壌及び／又は地下水をバイオレメディエーションによって浄化する土壌及び／又は地下水の浄化方法において、
浄化対象範囲内の３ヶ所以上に温度センサ又はＯＲＰ計を設け、該温度センサの検出温度又はＯＲＰ計の検出ＯＲＰが所定範囲となるように土壌及び／又は地下水の加熱手段又は薬剤注入手段を制御することを特徴とする土壌及び／又は地下水の浄化方法。
【請求項２】
前記温度センサの検出温度が２５〜３０℃となるように前記加熱手段又は薬剤注入手段を制御することを特徴とする請求項１の土壌及び／又は地下水の浄化方法。
【請求項３】
前記ＯＲＰ計の検出ＯＲＰが上昇しないように前記加熱手段又は薬剤注入手段を制御することを特徴とする請求項１の土壌及び／又は地下水の浄化方法。
【請求項４】
前記浄化対象範囲のＶＯＣ濃度及び嫌気性微生物の活性の少なくとも１つを測定し、さらにこの測定結果に基づいて前記加熱手段又は薬剤注入手段を制御することを特徴とする請求項１〜３のいずれかの土壌及び／又は地下水の浄化方法。
【請求項５】
前記薬剤は、栄養剤又は分解菌培養液であることを特徴とする請求項１〜４のいずれかの土壌及び／又は地下水の浄化方法。
【請求項６】
土壌及び／又は地下水を酸化剤添加によって浄化する土壌及び／又は地下水の浄化方法において、
浄化対象範囲内の３ヶ所以上に温度センサ又はＯＲＰ計を設け、該温度センサの検出温度又はＯＲＰ計の検出ＯＲＰが所定範囲となるように土壌及び／又は地下水の加熱手段又は酸化剤添加手段を制御することを特徴とする土壌及び／又は地下水の浄化方法。
【請求項７】
前記温度センサの検出温度が３０〜６０℃となるように前記加熱手段又は酸化剤添加手段を制御することを特徴とする請求項６の土壌及び／又は地下水の浄化方法。
【請求項８】
前記ＯＲＰ計の検出ＯＲＰが低下しないように前記加熱手段又は酸化剤添加手段を制御することを特徴とする請求項６の土壌及び／又は地下水の浄化方法。
【請求項９】
前記浄化対象範囲のＶＯＣ濃度を測定し、さらにこの測定結果に基づいて前記加熱手段又は酸化剤添加手段を制御することを特徴とする請求項６〜８のいずれかの土壌及び／又は地下水の浄化方法。
【発明の詳細な説明】
【技術分野】
【０００１】
本発明は、土壌及び／又は地下水の浄化方法に関する。
【背景技術】
【０００２】
有害物質で汚染された土壌や地下水を浄化する方法として、微生物を利用して土壌や地下水中の有害物質を分解除去する浄化技術（バイオレメディエーション）や、酸化剤を地中に添加する原位置化学酸化法がある（特許文献１〜３等）。
【０００３】
特許文献１には、地中に嫌気性微生物を注入するバイオスティミュレーション法において、ＶＯＣの分解能を向上させるために、井戸に挿入されたヒータへの通電を制御して、土壌、地下水を３５℃未満に加熱することが記載されている。
【０００４】
特許文献２には、バイオスティミュレーション又はバイオオーギュメンテーションにおいて、２０〜３５℃程度に地下水を加温することが記載されている。
【０００５】
特許文献３には、過硫酸塩を地中に添加する原位置化学酸化法において、反応領域末端（浄化範囲の末端）において、１０ｍｇ／Ｌ以上となるように過硫酸塩を添加することが記載されている。
【先行技術文献】
【特許文献】
【０００６】
【特許文献１】特開２０１５−２４４０１号公報
【特許文献２】特開２００９−９０１８３号公報
【特許文献３】特開２００５−３４８０６号公報
【発明の概要】
【発明が解決しようとする課題】
【０００７】
本発明は、バイオスティミュレーション法、バイオオーギュメンテーション法、原位置化学酸化法などにより、汚染土壌、地下水を浄化する方法において、土壌及び／又は地下水の温度や酸化剤の添加量を適切に制御することを目的とする。
【課題を解決するための手段】
【０００８】
本発明の土壌及び／又は地下水の浄化方法の要旨は、次の通りである。
【０００９】
［１］  土壌及び／又は地下水をバイオレメディエーションによって浄化する土壌及び／又は地下水の浄化方法において、浄化対象範囲内の３ヶ所以上に温度センサ又はＯＲＰ計を設け、該温度センサの検出温度又はＯＲＰ計の検出ＯＲＰが所定範囲となるように土壌及び／又は地下水の加熱手段又は薬剤注入手段を制御することを特徴とする土壌及び／又は地下水の浄化方法。
【００１０】
［２］  前記温度センサの検出温度が２５〜３０℃となるように前記加熱手段又は薬剤注入手段を制御することを特徴とする［１］の土壌及び／又は地下水の浄化方法。
【００１１】
［３］  前記ＯＲＰ計の検出ＯＲＰが上昇しないように前記加熱手段又は薬剤注入手段を制御することを特徴とする［１］の土壌及び／又は地下水の浄化方法。
【００１２】
［４］  前記浄化対象範囲のＶＯＣ濃度及び嫌気性微生物の活性の少なくとも１つを測定し、さらにこの測定結果に基づいて前記加熱手段又は薬剤注入手段を制御することを特徴とする［１］〜［３］のいずれかの土壌及び／又は地下水の浄化方法。
【００１３】
［５］  前記薬剤は、栄養剤又は分解菌培養液であることを特徴とする［１］〜［４］のいずれかの土壌及び／又は地下水の浄化方法。
【００１４】
［６］  土壌及び／又は地下水を酸化剤添加によって浄化する土壌及び／又は地下水の浄化方法において、浄化対象範囲内の３ヶ所以上に温度センサ又はＯＲＰ計を設け、該温度センサの検出温度又はＯＲＰ計の検出ＯＲＰが所定範囲となるように土壌及び／又は地下水の加熱手段又は酸化剤添加手段を制御することを特徴とする土壌及び／又は地下水の浄化方法。
【００１５】
［７］  前記温度センサの検出温度が３０〜６０℃となるように前記加熱手段又は酸化剤添加手段を制御することを特徴とする［６］の土壌及び／又は地下水の浄化方法。
【００１６】
［８］  前記ＯＲＰ計の検出ＯＲＰが低下しないように前記加熱手段又は酸化剤添加手段を制御することを特徴とする［６］の土壌及び／又は地下水の浄化方法。
【００１７】
［９］  前記浄化対象範囲のＶＯＣ濃度を測定し、さらにこの測定結果に基づいて前記加熱手段又は酸化剤添加手段を制御することを特徴とする［６］〜［８］のいずれかの土壌及び／又は地下水の浄化方法。
【発明の効果】
【００１８】
本発明の土壌及び／又は地下水の浄化方法によると、浄化対象範囲の広い範囲にわたって土壌及び／又は地下水を適切に加熱したり、薬剤注入又は酸化剤添加することができ、土壌及び／又は地下水が効率よく浄化されるようになる。
【図面の簡単な説明】
【００１９】
【図１】浄化対象範囲の平面図である。
【図２】加熱システムの構成図である。
【発明を実施するための形態】
【００２０】
以下、本発明についてさらに詳細に説明する。
【００２１】
本発明は、有機物質で汚染された浄化対象範囲をバイオレメディエーション又は原位置化学酸化法によって浄化する。
【００２２】
バイオレメディエーションによる場合、土壌及び／又は地下水の温度が好ましくは２５〜３０℃となるか、又はＯＲＰ計の検出ＯＲＰが上昇しないように（即ち、同一値を維持するか、又はそれよりもマイナス側となるように）、土壌及び／又は地下水に対し嫌気性微生物を活性化させるための栄養剤や、嫌気性微生物などの分解菌培養液を浄化対象範囲に注入するか、又は土壌及び／又は地下水を加熱手段によって加熱する。
【００２３】
汚染物質としての上記有機物質としては、塩素化エチレン等の有機塩素化合物の他に、ベンゼンや１，４−ジオキサン等が例示される。塩素化エチレンとしては、テトラクロロエチレン（ＰＣＥ）、トリクロロエチレン（ＴＣＥ）、１，２−ジクロロエチレン（１，２−ＤＣＥ）、シス−１，２−ジクロロエチレン（ｃｉｓ−ＤＣＥ）、トランス−１，２−ジクロロエチレン（ｔｒａｎｓ−ＤＣＥ）、１，１−ジクロロエチレン（１，１−ＤＣＥ）、クロロエチレン（ＶＣ）およびこれらの脱塩素化中間体などが例示される。
【００２４】
栄養剤としては、グルコース等の糖類、でんぷん、酢酸やクエン酸又はその塩、メタノール、エタノール、ペプトン、酵母エキスのほか、ポリ乳酸等の生分解性ポリマー、トリグリセリド、脂肪酸等が好適であるが、特に酢酸やクエン酸又はその塩が好適である。
【００２５】
塩素化エチレンの分解菌としては、塩素化エチレン分解活性を有するデハロコッコイデス属細菌などが例示される。
【００２６】
原位置化学酸化法による場合、過硫酸ナトリウムなどの酸化剤を含む液を浄化対象範囲に注入し、土壌及び／又は地下水の温度が好ましくは３０〜６０℃となるか、又はＯＲＰ計の検出ＯＲＰが低下しないように（即ち、同一値を維持するか又はそれよりもプラス側となるように）、土壌及び／又は地下水を加熱手段によって加熱するか、又は酸化剤添加量を制御する。
【００２７】
加熱手段としては、地中に配設された電気ヒータ、温水パイプのほか、地中へ蒸気を吹き込む蒸気吹込パイプ、温水注入パイプや、地中への通電装置などが例示される。
【００２８】
本発明では、浄化対象範囲の３ヶ所以上に温度センサ又はＯＲＰ計を設け、各温度センサの検出温度又はＯＲＰ計の検出ＯＲＰが前記範囲となるように制御する。
【００２９】
図１，２は、本発明方法を説明する浄化対象範囲の平面図及び温度制御システムの一例を示す模式図であり、図１の通り、浄化対象範囲Ａの複数個所に加熱手段としてヒータ１が設置されている。図２の通り、各ヒータ１は地表から地中の所定深さまで差し込まれている。ヒータ１への通電は、制御器２によって制御される。
【００３０】
浄化対象範囲Ａの３ヶ所以上において、地中温度を測定する温度センサ３が設置されており、その検出温度が制御器２に入力され、各温度センサ３の検出温度又はその平均値が前記範囲となるように各ヒータ１への通電が制御される。
【００３１】
温度センサ３の他に、又は温度センサ３と共に、地中のＯＲＰ（酸化還元電位）を測定するＯＲＰ計を浄化対象範囲Ａの３ヶ所以上に設置するようにしてもよい。ＯＲＰ計は各温度センサ３と同一箇所に設置されてもよい。各ＯＲＰ計の検出ＯＲＰが所定範囲となるように、ヒータ１を制御したり、栄養剤、分解菌あるいは酸化剤の注入を制御する。
【００３２】
ＯＲＰに基づく制御は、例えば次のようにして行われる。嫌気性微生物を利用した浄化の場合、嫌気性微生物の活性低下に伴いＯＲＰはプラス側に変化するため、ＯＲＰが上昇しないようにヒータ１を制御する。例えば、地中温度を上げてＯＲＰをマイナス側へ変化させて、嫌気性微生物の活性を上昇させる。また、酸化剤を用いた浄化では、酸化剤の分解に伴いＯＲＰが低下するため、ＯＲＰが低下しないようにヒータ１や酸化剤添加量を制御する。
【００３３】
予め現地の汚染土壌を用いて、温度と嫌気性微生物の活性や酸化剤の分解活性を調べ、それを基礎データとして浄化時の制御に利用してもよい。
【００３４】
浄化対象範囲ＡのＶＯＣ濃度や、分解菌の１６ＳｒＤＮＡなどを連続的又は定期的に測定し、栄養剤、分解菌或いは酸化剤の注入を制御するようにしてもよい。
【００３５】
栄養剤、分解菌、酸化剤などは、水溶液又は分散液の形態で注入井又は注入パイプ（図示略）によって地中に注入される。注入箇所は、地下水流れ方向の上流側の１又は２以上の箇所が好ましい。
【００３６】
温度センサ３やＯＲＰをｎヶ所（ｎ≧３）に設置する場合、浄化対象範囲Ａをｎ個に等分に区画し、各区画にそれぞれ温度センサやＯＲＰ計を設置することが好ましい。
【符号の説明】
【００３７】
１  ヒータ
２  制御器
３  温度センサ
【図１】
2020142175.tif 000003
【図２】
2020142175.tif 000004
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
土壌及び／又は地下水を酸化剤添加によって浄化する土壌及び／又は地下水の浄化方法において、
浄化対象範囲内の３ヶ所以上に温度センサを設け、該温度センサの検出温度が３０〜６０℃となるように土壌及び／又は地下水の加熱手段又は酸化剤添加手段を制御する方法であって、該加熱手段が地中への通電装置であることを特徴とする土壌及び／又は地下水の浄化方法。
【請求項２】
前記浄化対象範囲内の３ヶ所以上にＯＲＰ計を設け、該ＯＲＰ計の検出ＯＲＰが低下しないように前記加熱手段又は酸化剤添加手段を制御することを特徴とする請求項１の土壌及び／又は地下水の浄化方法。
【請求項３】
前記浄化対象範囲のＶＯＣ濃度を測定し、さらにこの測定結果に基づいて前記加熱手段又は酸化剤添加手段を制御することを特徴とする請求項１又は２の土壌及び／又は地下水の浄化方法。